(57)【要約】【課題】注水が容易で操作性がよく、特に汲み置きの水を利用する場合に効果的な如雨露を提供する。【解決手段】散水用の水が貯水されるタンク部１と、タンク部１の側面から斜め上方に延びる中空状のアーム部２と、アーム部２の先端に設けられ散水用の水が排出されるノズル部３を備えた如雨露１０において、タンク部１の底面１１には注水用の注水穴４と、注水穴４に嵌合する開閉自在の止水栓５が設けられており、止水栓５は底面１１に対する外側からの水圧の増加時にタンク部１の内側に向けて開き、外側からの水圧の減少時に注水穴４を塞ぐ。【選択図】図１
2006254767.tif 000002
【特許請求の範囲】
【請求項１】
散水用の水が貯水されるタンク部と、前記タンク部の側面から斜め上方に延びる中空状のアーム部と、前記アーム部の先端に設けられ散水用の水が排出されるノズル部を備えた如雨露において、
前記タンク部の底面には注水用の注水穴と、前記注水穴に嵌合する開閉自在の止水栓が設けられており、前記止水栓は前記底面に対する外側からの水圧の増加時に前記タンク部の内側に向けて開き、前記外側からの水圧の減少時に前記注水穴を塞ぐことを特徴とする如雨露。
【請求項２】
前記アーム部は前記ノズル部側の先端部、前記タンク部側の根元部、及び前記先端部と前記根元部に挟まれた中間部からなり、
外力を加えることにより前記中間部を湾曲又は折曲可能に、かつ前記外力を解除することにより湾曲又は折曲された状態から自ら復元するように形成したことを特徴とする請求項１に記載の如雨露。
【請求項３】
前記中間部は上方向のみに湾曲又は折曲可能であることを特徴とする請求項２に記載の如雨露。
【請求項４】
前記中間部の左右側面に、前記アーム部の長手方向に沿って突条を設けたことを特徴とする請求項２又は請求項３に記載の如雨露。
【請求項５】
前記中間部の左右側面に、前記アーム部の長手方向に沿って芯材を埋設したことを特徴とする請求項２又は請求項３に記載の如雨露。
【請求項６】
前記先端部と前記タンク部の前記根元部側の上部を結ぶ位置に、湾曲又は折曲可能な平板状の支持材を上下が平面となるように固定したことを特徴とする請求項２又は請求項３に記載の如雨露。
【請求項７】
前記ノズル部又は前記先端部と前記止水栓をつなぐ連結部材を設け、前記中間部の湾曲又は折曲時には前記止水栓が前記タンク部の内側に向けて開くことが可能であるとともに、前記中間部の湾曲又は折曲された状態からの復元時には前記連結部材を介して前記止水栓が前記注水穴を塞ぐように付勢されることを特徴とする請求項２乃至請求項６のうちいずれか一つに記載の如雨露。
【発明の詳細な説明】
【技術分野】
【０００１】
本発明は、植物に水を与えるために使用する如雨露に関する。
【背景技術】
【０００２】
従来、植物に水を与えるための如雨露として、例えば図１２に示すような如雨露１００が使用されている。
図１２に示す如雨露１００は、散水用の水を貯水するためのタンク部１と、タンク部１の側面から斜め上方に延びるアーム部２と、アーム部２の先端に設けられたノズル部３から構成されている。タンク部１に貯えられた水は、アーム部２の中空状の内部を通ってノズル部３に運ばれ、ノズル部３に開けられた散水孔１７から排出されるようになっている。
また、タンク部１の上面には注水口１２が設けられて、蛇口等から水を入れるようになっている。さらに、タンク部１の上面には取っ手１３が、タンク部１の後側には取っ手１４がそれぞれ設けられている。
【０００３】
このような如雨露１００を使用する場合には、最初に、蛇口又は蛇口につないだホースの先端を注水口１２に合わせて水を注水し、水が貯まったら植物の生えている場所に移動して水を与えるという作業を行う。
あるいは、図１３に示すような桶２００を用意して、植物の近くにあらかじめ水を汲み置きしておいて、桶２００の水を如雨露１００に入れながら散水するという作業を行う場合もある。
【０００４】
従って、如雨露１００が小さかったり水を与える植物が多い場合には、何度も注水と散水を繰り返す必要があり、大変な作業となってしまう。
また、如雨露１００の注水口１２は散水時に水がこぼれないよう比較的小さめなため、注水しにくいものとなっている。特に水を汲み置いた桶２００から水を入れる場合に、桶２００内の水が少なくなると、如雨露１００を横向きにして注水口１２の位置を調節しながら水中に入れる必要がある。さらに、アーム部２が引っ掛かって桶２００にうまく入らない場合がある。
【０００５】
こうした問題に対応するために、特許文献１には、ろうとを用いて水を容易に入れることができるようにした、ろうと付き如雨露に係る発明が記載されている。
また、特許文献２乃至特許文献４には、バケツに如雨露の口を組み合わせて、水を入れやすく容量の大きな如雨露を提供するようにした発明が記載されている。
【特許文献１】特開２０００−１４２５９号公報
【特許文献２】特開平９−２８２１９号公報
【特許文献３】実開平７−１７０３８号公報
【特許文献４】実開平６−１５４５５号公報
【発明の開示】
【発明が解決しようとする課題】
【０００６】
しかしながら、特許文献１に記載された発明によれば、注水の度に如雨露にろうとを取り付けなければならないため、煩雑である。さらに汲み置きの水を利用する場合に、大きな桶を持ち上げて注水することは困難である。
また、特許文献２乃至特許文献４に記載された発明によれば、バケツを利用することにより容量を大きくすることはできるが、その分だけ操作性は悪化してしまう。さらにバケツの上面の開口部が大きく、散水時に水がこぼれやすい。
【０００７】
そこで本発明は上記従来の課題を解決するためのものであり、注水が容易で操作性がよく、特に汲み置きの水を利用する場合に効果的な如雨露を提供するものである。
【課題を解決するための手段】
【０００８】
上記従来の課題を解決するために、請求項１に係る発明の如雨露は、散水用の水が貯水されるタンク部（１）と、前記タンク部（１）の側面から斜め上方に延びる中空状のアーム部（２）と、前記アーム部（２）の先端に設けられ散水用の水が排出されるノズル部（３）を備えた如雨露（１０）において、前記タンク部（１）の底面（１１）には注水用の注水穴（４）と、前記注水穴（４）に嵌合する開閉自在の止水栓（５）が設けられており、前記止水栓（５）は前記底面（１１）に対する外側からの水圧の増加時に前記タンク部（１）の内側に向けて開き、前記外側からの水圧の減少時に前記注水穴（４）を塞ぐことを特徴とする。
【０００９】
また、請求項２に係る発明は、請求項１に記載の発明において、前記アーム部（２）は前記ノズル部（３）側の先端部（１５）、前記タンク部（１）側の根元部（１６）、及び前記先端部（１５）と前記根元部（１６）に挟まれた中間部（６）からなり、外力を加えることにより前記中間部（６）を湾曲又は折曲可能に、かつ前記外力を解除することにより湾曲又は折曲された状態から自ら復元するように形成したことを特徴とする。
【００１０】
また、請求項３に係る発明は、請求項２に記載の発明において、前記中間部（６）は上方向のみに湾曲又は折曲可能であることを特徴とする。
【００１１】
また、請求項４に係る発明は、請求項２又は請求項３に記載の発明において、前記中間部（６）の左右側面に、前記アーム部（２）の長手方向に沿って突条（６１）を設けたことを特徴とする。
【００１２】
また、請求項５に係る発明は、請求項２又は請求項３に記載の発明において、前記中間部（６）の左右側面に、前記アーム部（２）の長手方向に沿って芯材を埋設したことを特徴とする。
【００１３】
また、請求項６に係る発明は、請求項２又は請求項３に記載の発明において、前記先端部（１５）と前記タンク部（１）の前記根元部（１６）側の上部を結ぶ位置に、湾曲又は折曲可能な平板状の支持材（９）を上下が平面となるように固定したことを特徴とする。
【００１４】
また、請求項７に係る発明は、請求項２乃至請求項６のうちいずれか一つに記載の発明において、前記ノズル部（３）又は前記先端部（１５）と前記止水栓（５）をつなぐ連結部材（１８）を設け、前記中間部（６）の湾曲又は折曲時には前記止水栓（５）が前記タンク部（１）の内側に向けて開くことが可能であるとともに、前記中間部（６）の湾曲又は折曲された状態からの復元時には前記連結部材（１８）を介して前記止水栓（５）が前記注水穴（４）を塞ぐように付勢されることを特徴とする。
【００１５】
なお、括弧内の記号は、発明を実施するための最良の形態および図面に記載された対応要素または対応事項を示す。
【発明の効果】
【００１６】
請求項１に記載の発明によれば、タンク部の底面に注水穴と止水栓が設けられているので、如雨露の上面からではなく底面から水を注水することができる。従って水を汲み置いた桶等から水を入れる場合に、桶等の水が少なくなっても如雨露を横向きにする必要がない。また散水するときは止水栓で注水穴を塞ぐことにより水が漏れることがない。
また、止水栓は底面に対する外側からの水圧の増加時にタンク部の内側に向けて開くので、水の入っていない如雨露を底面から水中に入れていくと、水圧により自動的に注水穴が開いて水を注水することができる。
また、止水栓は底面に対する外側からの水圧の減少時に注水穴を塞ぐので、如雨露に水が注水されて如雨露を水中から引き上げると、自動的に注水穴を閉じることができる。
【００１７】
また、請求項２に記載の発明によれば、請求項１に記載の発明の作用効果に加えて、アーム部の中間部が湾曲又は折曲可能に形成されているので、中間部を湾曲又は折曲させてアーム部をタンク部に向けて倒すことができる。これにより、如雨露を折りたたんでコンパクトにできるので、水を汲み置いた桶等が小さくてもアーム部が引っ掛かることなく如雨露を入れることができる。
また、中間部は湾曲又は折曲された状態から自ら復元するように形成されているので、如雨露を水中から引き上げた後、アーム部から手を離せば、自動的に元の形状へと戻すことができる。
【００１８】
また、請求項３に記載の発明によれば、請求項２に記載の発明の作用効果に加えて、中間部は上方向のみに湾曲又は折曲可能であるので、桶等から水を注水するときに、アーム部が邪魔にならない方向に限定して曲げることができる。
【００１９】
また、請求項４に記載の発明によれば、請求項２又は請求項３に記載の発明の作用効果に加えて、中間部の左右側面に、アーム部の長手方向に沿って突条を設けるので、アーム部を左右方向に曲がりにくくすることができる。従って、植物に水を与えるときに如雨露を左右に振っても、アーム部が不安定になることがない。
【００２０】
また、請求項５に記載の発明によれば、請求項２又は請求項３に記載の発明の作用効果に加えて、中間部の左右側面に、アーム部の長手方向に沿って芯材を埋設するので、アーム部を左右方向に曲がりにくくすることができる。従って、植物に水を与えるときに如雨露を左右に振っても、アーム部が不安定になることがない。
【００２１】
また、請求項６に記載の発明によれば、請求項２又は請求項３に記載の発明の作用効果に加えて、アーム部の先端部とタンク部を結ぶ位置に、湾曲又は折曲可能な平板状の支持材を上下が平面となるように固定するので、アーム部を左右方向に曲がりにくくすることができる。従って、植物に水を与えるときに如雨露を左右に振っても、アーム部が不安定になることがない。
【００２２】
また、請求項７に記載の発明によれば、請求項２乃至請求項６のうちいずれか一つに記載の発明の作用効果に加えて、ノズル部又は先端部と止水栓をつなぐ連結部材を設けるので、如雨露に水を注水した後は、連結部材を介して止水栓が注水穴を塞ぐように付勢することができる。そのため、散水時に注水穴から水が漏れるのを確実に防止できる。
【発明を実施するための最良の形態】
【００２３】
次に、図１乃至図７を参照して、本発明の実施形態１に係る如雨露１０について説明する。
最初に、実施形態１に係る如雨露１０の構成について、図１の正面図、及び図２の平面図を参照して説明する。
【００２４】
図１及び図２に示すように、如雨露１０は、散水用の水を貯水するためのタンク部１と、タンク部１の側面から斜め上方に延びるアーム部２と、アーム部２の先端に設けられたノズル部３から構成されている。タンク部１に貯えられた水は、アーム部２の中空状の内部を通ってノズル部３に運ばれ、ノズル部３に開けられた散水孔１７から排出されるようになっている。
また、タンク部１の上面には注水口１２が設けられて、蛇口等から水を入れるようになっている。さらに、タンク部１の上面には取っ手１３が、タンク部１の後側には取っ手１４がそれぞれ設けられている。
【００２５】
タンク部１の底面１１には、注水穴４と注水穴４に嵌合する開閉自在の止水栓５が設けられている。従って上面に設けられた注水口１２に加えて、底面１１に設けられた注水穴４からも水を注水することができるようになっている。この注水穴４及び止水栓５は、図２に示すように平面視円形である。
また、アーム部２は、ノズル部３側に位置する先端部１５、タンク部１側に位置する根元部１６、及び先端部１５と根元部１６に挟まれた中間部６から構成されている。
【００２６】
次に、図３を参照して、底面１１に設けられた注水穴４と止水栓５の構造について説明する。図３は図１の要部拡大断面図であり、注水穴４と止水栓５周辺を示している。
図３に示すように、注水穴４の断面は、上側から下側に向けて開口面積が小さくなるようテーパー面となっている。そして、注水穴４のテーパー面に嵌合するように止水栓５が形成されている。
止水栓５にはヒンジ部７の一端が取り付けられ、ヒンジ部７の他端がタンク部１の底面１１の内側に固定されている。そして、ヒンジ部７を介して止水栓５が注水穴４との嵌合状態から斜め上方に持ち上げられることにより、注水穴４が開くようになっている。ただし、止水栓５が最大に持ち上げられた場合にも、開き角度Ｂは９０度以下となるようになっている。
【００２７】
上記構造により、底面１１に対する外側からの水圧が増加すると、止水栓５が斜め上方に持ち上げられ注水穴４が開き、タンク１の内部に水が注水される。そして、底面１１に対する水圧が減少すると、持ち上げられていた止水栓５が注水穴４を塞いで、水が漏れないようになる。
【００２８】
なお、注水穴４と止水栓５の構造は図３に示すものに限らず、底面１１に対する外側からの水圧の変化により注水穴４の開閉が行えるものであればよい。
例として、図４に他の構造を示す。図４も図３と同様に、図１の要部拡大断面図であり、注水穴４と止水栓５周辺を示している。
図４に示す構造において注水穴４の断面は、図３と同様に上側から下側に向けて開口面積が小さくなるようテーパー面となっている。そして、注水穴４のテーパー面に嵌合するように止水栓５が形成されている。
一方、止水栓５にはヒンジ部は取り付けられておらず、底面１１に対する外側からの水圧により上方に浮揚できるようになっている。ただし、止水栓５が注水穴４の位置からずれてしまわないように、注水穴４の周囲及び上方に防護柵８を設けて止水栓５の浮揚範囲を制限している。この防護柵８は水を通しながら止水栓５を通さないような大きさの網目をもつようにしてある。
【００２９】
上記構造により、底面１１に対する外側からの水圧が増加すると、止水栓５が上方に浮揚して注水穴４が開き、タンク１の内部に水が注水される。そして、底面１１に対する水圧が減少すると、止水栓５が注水穴４のテーパー面に沿って落下し嵌合して、注水穴４を塞ぐようになっている。
【００３０】
次に、図５乃至図７を参照して、アーム部２の中間部６の構造について説明する。
図５は如雨露１０のアーム部２を湾曲させた状態を示す正面図であり、図６、図７は中間部６を拡大した斜視図である。
【００３１】
図５に示すように、アーム部２の中間部６は湾曲可能に形成されており、外力を加えて中間部６を湾曲させることにより、アーム部２をタンク１の方向に倒すことができるようになっている。
また、中間部６は湾曲された状態から自ら復元するように形成されており、アーム部２をタンク１の方向に倒していた外力を緩めると、図１に示すような元の状態に戻るようになっている。
如雨露１０のうち中間部６以外の部分は容易に変形することのないような硬質のプラスチックにより形成されている。これに対してアーム部６は、湾曲可能なゴム材により形成されている。ただし、湾曲又は折曲可能で、かつ湾曲又は折曲された状態から自ら復元できるものであれば、ゴム材に限らず例えばプラスチック部材を蛇腹状に形成するなどしてもよい。
なお、中間部６は上方向のみに湾曲又は折曲可能となるよう形成することがより好ましい。
【００３２】
さらに、図６に示すように、中間部６の左右側面に、アーム部２の長手方向に沿って突条６１を設けることが好ましい。突条６１は、中間部６と同じゴム材により肉厚となるよう一体的に形成してもよいし、ゴム材とは別の部材（例えば針金等）を接着剤等により固定してもよい。
中間部６に突条６１を設けることにより、上下方向には曲がりやすいが、左右方向には曲がりにくいようにすることができる。
【００３３】
また、突条６１ではなく、図７に示すように、中間部６の左右側面に、アーム部２の長手方向に沿って針金等の芯材６２を埋設してもよい。
中間部６に芯材６２を埋設することにより、上下方向には曲がりやすいが、左右方向には曲がりにくいようにすることができる。
【００３４】
次に上記構成の如雨露１０の使用方法について説明する。ここでは、図１３に示す桶２００に水が汲み置きしてある場合に、桶２００から如雨露１０に水を注水して植物に散水する場合を説明する。
桶２００から水を注水する場合、水が入っていない如雨露１０を底面１１を下側にしながら桶２００の水に入れていく。底面１１が水中に深く入っていくにつれて、底面１１に対する水圧が増加し、止水栓５がタンク部１の内側に向けて開くので、水がタンク１内部に注水されていく。
タンク１内部に所望の水を注水することができたら、桶２００から如雨露１０を取り出し注水が完了する。如雨露１０を取り出すにつれて、底面１１に対する水圧が減少し、止水栓５が注水穴４を塞ぐ。
【００３５】
ここで、桶２００が小さく、アーム部２が引っ掛かって如雨露１０をうまく桶２００の中に入れられないときは、アーム部２をタンク部１に向けて倒して如雨露１０を折りたたんでコンパクトにすればよい。
また、桶２００に十分な量の水があれば、如雨露１０全体を水中に入れて上面の注水口１２から水を入れることも可能である。
【００３６】
水が注水されたら、如雨露１０を植物の生えている場所に移動して水を与える。水を与えるときはアーム部２を左右に振るなどして広範囲に散水するようにしてもよい。なお、如雨露１０を移動するときにもアーム部２を折りたたんでおけば、移動時にノズル部３から水が漏れてしまうのを防ぐことができる。
【００３７】
実施形態１に係る如雨露１０によれば、タンク部１の底面１１に注水穴４と止水栓５が設けられているので、如雨露１０の上面からではなく底面１１から水を注水することができる。従って水を汲み置いた桶２００から水を入れる場合に、桶２００の中の水が少なくなっても如雨露１０を横向きにする必要がない。また散水するときは止水栓５で注水穴４を塞ぐことにより水が漏れることがない。
また、止水栓５は底面１１に対する外側からの水圧の増加時にタンク部１の内側に向けて開くので、水の入っていない如雨露１０を底面１１から水中に入れていくと、水圧により自動的に注水穴４が開いて水を注水することができる。
また、止水栓５は底面１１に対する外側からの水圧の減少時に注水穴４を塞ぐので、如雨露１０に水が注水されて如雨露１０を水中から引き上げると、自動的に注水穴４を閉じることができる。
【００３８】
また、アーム部２の中間部６が湾曲可能に形成されているので、中間部６を湾曲させてアーム部２をタンク部１に向けて倒すことができる。これにより、如雨露１０を折りたたんでコンパクトにできるので、水を汲み置いた桶２００が小さくてもアーム部２が引っ掛かることなく如雨露１０を入れることができる。
また、中間部６は湾曲された状態から自ら復元するように形成されているので、如雨露１０を水中から引き上げた後、アーム部２から手を離せば、自動的に元の形状へと戻すことができる。
【００３９】
また、中間部を上方向のみに湾曲又は折曲可能なように形成すれば、桶２００から水を注水するときに、アーム部２が邪魔にならない方向に限定して曲げることができる。
【００４０】
また、中間部６の左右側面に、アーム部２の長手方向に沿って突条６１を設けたり、あるいは芯材６２を埋設することにより、アーム部２を左右方向に曲がりにくくすることができる。従って、植物に水を与えるときに如雨露１０を左右に振っても、アーム部２が不安定になることがない。
【００４１】
また、ヒンジ部７を介して止水栓５が最大に持ち上げられた場合にも、開き角度Ｂは９０度以下となるようになっているので、水を注水して桶２００から如雨露１０を取り出した後に、止水栓５が閉まらなくなるようなことがない。
【００４２】
次に、図８及び図９を参照して、実施形態２に係る如雨露２０について説明する。
如雨露２０は実施形態１とほぼ同様の構成であるが、アーム部２の先端部１５と、タンク部１を結ぶ位置に、湾曲可能な平板状の支持材９を固定した点が異なっている。
支持材９の一端は、アーム部２の先端部１５に固定されており、他端は、タンク部１の根元部１６側の上部に固定されている。そして、支持材９の上側と下側が平面となるように位置している。
支持材９は、図８に示すように通常は平たく延びた状態となっているが、図９に示すように中間部６を湾曲させてアーム部２をタンク部１の方向に倒したときには、中間部６の湾曲に合わせて湾曲するようになっている。
【００４３】
支持材９は上側と下側が平面となるように固定されているので、上下方向には湾曲するが、左右方向には変形しにくくなっている。
なお、支持材９は湾曲可能とするほか、ヒンジを介して折曲することができるようにしてもよい。
【００４４】
実施形態２に係る如雨露２０によれば、アーム部２の先端部１５とタンク部１を結ぶ位置に、湾曲可能な平板状の支持材９を上下が平面となるように固定するので、アーム部２を左右方向に曲がりにくくすることができる。従って、植物に水を与えるときに如雨露２０を左右に振っても、アーム部２が不安定になることがない。
【００４５】
次に、図１０及び図１１を参照して、実施形態３に係る如雨露３０について説明する。
如雨露３０は実施形態１とほぼ同様の構成であるが、ノズル部３と止水栓５をつなぐ連結部材１８を設けた点が異なっている。
連結部材１８は、ひも状部材であり、一端がノズル部３に固定され、如雨露３０の後側に回り込むようにして、他端が止水栓５の底部分に固定されている。
【００４６】
連結部材１８は、図１０に示すように通常は張り詰めた状態となっているが、水を注水するに際して中間部６を湾曲させてアーム部２をタンク部１の方向に倒すと、連結部材１８が緩んで、図１０の要部拡大断面図である図１１に示すように、止水栓５が開方向（タンク部１の内側に開く方向）に移動可能となる。
一方、注水が終わり中間部６が湾曲状態から復元すると、連結部材１８は元の張り詰めた状態となり、連結部材１８を介して止水栓５が注水穴４を塞ぐように付勢される。
【００４７】
なお、連結部材１８の一端はノズル部３の代わりに先端部１５に固定されてもよい。また、ひも状のものに限らず、ノズル部３又は先端部１５と止水栓５をつなぐことにより、中間部６の湾曲時には止水栓５が開方向に移動するのを妨げず、中間部６の復元時には止水栓５が注水穴４を確実に塞ぐように、ノズル部３又は先端部２と止水栓５の動きを連動させるものであればよい。
【００４８】
実施形態３に係る如雨露３０によれば、ノズル部３と止水栓５をつなぐ連結部材１８を設けるので、如雨露３０に水を注水した後は、連結部材１８を介して止水栓５が注水穴４を塞ぐように付勢することができる。そのため、散水時に注水穴４から水が漏れるのを確実に防止できる。
【図面の簡単な説明】
【００４９】
【図１】本発明の実施形態１に係る如雨露を示す正面図である。
【図２】実施形態１に係る如雨露を示す平面図である。
【図３】図１の要部拡大断面図である。
【図４】図１の要部拡大断面図である。
【図５】実施形態１に係る如雨露のアーム部を湾曲させた状態を示す正面図である。
【図６】実施形態１に係る如雨露のアーム部の中間部を示す斜視図である。
【図７】実施形態１に係る如雨露のアーム部の中間部を示す斜視図である。
【図８】実施形態２に係る如雨露を示す正面図である。
【図９】実施形態２に係る如雨露のアーム部を湾曲させた状態を示す正面図である。
【図１０】実施形態３に係る如雨露を示す正面図である。
【図１１】図１０の要部拡大断面図である。
【図１２】従来例に係る如雨露を示す正面図である。
【図１３】汲み置き用の桶を示す斜視図である。
【符号の説明】
【００５０】
１      タンク部
２      アーム部
３      ノズル部
４      注水穴
５      止水栓
６      中間部
７      ヒンジ部
８      防護柵
９      支持材
１０      如雨露
１１      底面
１２      注水口
１３      取っ手
１４      取っ手
１５      先端部
１６      根元部
１７      散水孔
１８      連結部材
２０      如雨露
３０      如雨露
６１      突条
６２      芯材
１００      如雨露
２００      桶
【図１】
2006254767.tif 000003
【図２】
2006254767.tif 000004
【図３】
2006254767.tif 000005
【図４】
2006254767.tif 000006
【図５】
2006254767.tif 000007
【図６】
2006254767.tif 000008
【図７】
2006254767.tif 000009
【図８】
2006254767.tif 000010
【図９】
2006254767.tif 000011
【図１０】
2006254767.tif 000012
【図１１】
2006254767.tif 000013
【図１２】
2006254767.tif 000014
【図１３】
2006254767.tif 000015